(57)【要約】   本発明の課題は、圧力容器を完全に密閉する圧力容器の密閉器具を提供することである。  本発明は、カバー体の上部に位置し、左右側に安全弁及び自動圧力調節弁が設けられた取っ手胴体を備え、前記取っ手胴体の上側の中央に配設されたオン・オフ兼用の押下ボタンは、作動ギア用のバネの内在されたプレート作動ギアがピニオンギア及びラチェットを固定スクリューにより固定した前記押下ボタンの下部の固定具に噛合され、この側部には逆転防止用のポールとポールバネが固定スクリューにより前記押下ボタンに固定されるような構造を有することを特徴とする圧力容器の密閉器具である。【選択図】図１
2007522399.tif 000002
【特許請求の範囲】
【請求項１】
圧力容器の密閉器具において、
カバー体（１２）の上部に位置し、左右側に安全弁（３）及び自動圧力調節弁（６）が設けられた取っ手胴体（１）を備え、前記取っ手胴体（１）の上側の中央に配設されたオン・オフ兼用の押下ボタン（２）は、作動ギア用のバネ（２ｆ）が内在されたプレート作動ギア（２ｅ）がピニオンギア（２ｃ）及びラチェット（２ｂ）を固定スクリュー（２ｄ）により固定した前記押下ボタン（２）の下部の固定具（２ａ）に噛合され、この側部には逆転防止用のポール（２ｈ）とポールバネ（２ｇ）が固定スクリュー（２ｉ）により前記押下ボタン（２）に固定されるような構造を有することを特徴とする圧力容器の密閉器具。
【請求項２】
容器の内部を真空状態に維持したり真空状態から解放し、自動圧力調節弁（６）が故障したときに圧力を抜き出す装置としての安全弁（３）は、安全弁（３）の上ピン（３ａ）が真空レバー（４）に嵌合され、バネ（３ｂ）付きシリコン栓（３ｃ）に結合されて、シリコンパッキン（３ｄ）の装入された安全弁の下部キャップ（３ｅ）に係合されることを特徴とする請求項１に記載の圧力容器の密閉器具。
【請求項３】
前記取っ手胴体（１）に設けられて自動的に内圧を調節する自動圧力調節弁（５）は、側部に安全ピン（６ｃ）の嵌合された安全ピンガイド（６ｄ）の上端にスチームガイド（６ｂ）が固定スクリュー（６ａ）により固定され、バネ（６ｅ）及びシリコン栓（６ｆ）の内蔵された前記安全ピンガイド（６ｄ）をスチームシャフト（６ｇ）に装入した後、前記スチームシャフト（６ｇ）をシリコンパッキン（６ｈ）付きスチームシャフトキャップ（６ｉ）に挿入し、このスチームシャフトキャップ（６ｉ）は押下ボタンガイド（６ｊ）内に装入し、この押下ボタンガイド（６ｊ）の上端には「０」、「１」、「２」と書いてあるロータリー式押下ボタン（５）が結合されることを特徴とする請求項１に記載の圧力容器の密閉器具。
【請求項４】
カバー体体（１２）の底面には、前記取っ手胴体（１）に設けられた安全弁（３）及び圧力調節弁（６）を保護するために、シリコン蓋体（８ａ）付き裏蓋体（８）が取り付けられることを特徴とする請求項１に記載の圧力容器の密閉器具。
【発明の詳細な説明】
【技術分野】
【０００１】
この発明は、圧力容器を完全に密閉する圧力容器の密閉器具に関する。
【背景技術】
【０００２】
従来の圧力容器は、ここにカバー体を結合するとき、カバー体の周面に設けられた係合突起を容器の外周面に設けられた係合溝に嵌め込んだ後、前記カバー体の左右側部に取り付けられた２本の取っ手を両手で取って一定の方向に回して前記カバー体の係合突起を容器の係合溝に係止し、完全密閉を図るものであった。この種の圧力容器は、カバー体の脱着過程が煩雑であって使用上の不便さが多大であった。さらに、取っ手付き圧力容器は、上記の問題点は解消することができるが、結合用のボタンと分離用のボタンが取っ手の上下側に別々に設けられているが故にその構造が複雑であり、移動時には前記上下側のボタンを取ったままで移動することを余儀なくされるが故に、ボタンの裕隔によりカバー体が緩んで外されてしまうなど安全事故が起こるという欠点があった。
【発明の開示】
【発明が解決しようとする課題】
【０００３】
この発明の目的は、上記の問題点を解消することのできる圧力容器の密閉器具を提供するところにある。
【課題を解決するための手段】
【０００４】
前記目的を達成するために、この発明による圧力容器の密閉器具は、カバー体の上部に位置し、左右側に安全弁及び自動圧力調節弁が設けられた取っ手胴体を備え、前記取っ手胴体の上側の中央に配設されたオン・オフ兼用の押下ボタンは、作動ギア用のバネの内在されたプレート作動ギアがピニオンギア及びラチェットを固定スクリューにより固定した前記押下ボタンの下部の固定具に噛合され、この側部には逆転防止用のポールとポールバネが固定スクリューにより前記押下ボタンに固定されるような構造を有することを特徴とする。
【発明の効果】
【０００５】
この発明は、カバー体１２の上部に設けられた取っ手胴体１の上側中央部にオン・オフ兼用の押下ボタン２を取り付け、その左右側部には安全弁３とロータリー式押下ボタン５が上端に取り付けられた自動圧力調節弁６を設け、前記カバー体１２の底面にはシリコン蓋体８ａ付き裏蓋体８を取り付けているので、上記のオン・オフ兼用の押下ボタン２を片手で軽く押すことにより、圧力容器とカバー体１２との密閉及び分離が容易になり、また、真空レバー４を回して安全弁３を上昇固定して容器の内部を真空状態に維持することにより、中身の長期保存が可能になる。さらには、前記カバー体１２の底面に取り付けられた裏蓋体８は、上記の安全弁３及び自動圧力調節弁６に食材が触れないようにするだけではなく、シリコン蓋体８ａは上記の安全弁３及び自動調節弁６を保護しているので、安定性と清潔性及び耐久性が高まるという実用的な効果がある。
【発明を実施するための最良の形態】
【０００６】
以下、添付図面に基づき、この発明による圧力容器の密閉器具を詳細に説明する。
【０００７】
圧力容器に対してカバー体１２を脱着させるクリップ１１が左右側に設けられた圧力容器の密閉器具を構成するに当たり、図１に示すように、カバー体１２の上部に設けられた取っ手胴体１の上側の中央部にオン・オフ兼用の押下ボタン２を取り付け、この開閉動作に伴いクリップ１１の位置を可変させて容器とカバー体１２を簡単に脱着可能にする。このとき、前記オン・オフ兼用の押下ボタン２（図３参照）は、作動ギア用のバネ２ｆの内蔵されたプレート作動ギア２ｅがピニオンギア２ｃ及びラチェット２ｂを固定スクリュー２ｉにより取り付けた固定具２ａと噛合して前記押下ボタン２に連設され、この側部にもポールバネ２ｇを挿入して逆転防止機能をするポール２ｈが固定スクリュー２ｉにより押下ボタン２に固定されている。また、取っ手胴体１の一方の通孔部１ｂに設けられた安全弁３は、自動圧力調節弁６の故障時に内圧を抜き出すための装置であって（図４参照）、安全弁の上ピン３ａが容器の内部を真空状態に維持する真空レバー４に嵌合されてバネ３ｂ付きシリコン栓３ｃに結合され、シリコンパッキン３ｄの装入された安全弁の下部キャップ３ｅに係合されている。図５は、取っ手胴体１の他方の通孔部 １ｃに設けられて自動的に内圧を調節するロータリー式の自動圧力調節弁６を構成するに当たり、スチームガイド６ｂが固定スクリュー６ａにより安全ピンガイド６ｄに固定される。また、側部に設けられた、前記クリップ１１が閉じないときに起こる事故を防ぐ安全装置用としての安全ピン６ｃが嵌合された前記安全ピンガイド６ｄは、圧力調節用のバネ６ｅ及びガイド蓋体６ｋに結合されたシリコン栓６ｆを内蔵するが、この安全ピンガイド６ｄは、スチームシャフト６ｇに装入し、シリコンパッキン６ｈ付きスチームシャフトキャップ６ｉに挿入してこれを押下ボタンガイド６ｊに取り付け、ロータリー式押下ボタン５が挿入される取っ手胴体１のボタン挿入部の周りには「０」（圧力解放）、「１」（低圧）、「２」（高圧）と書いてあるロータリー式押下ボタン５が取り付けられて自動圧力調節弁６と連結されている。図６は、取っ手胴体１の両側端にクリップ１１を連結するが、このクリップ１１にはプレート作動バネ７ａにより動作するプレート７が取着される。また、図７は、この発明の別の実施の形態を示すものであって、前記カバー体１２の下部には中身が外部に排出することを防ぐ裏蓋体８を取り付けるが、この裏蓋体８にはシリコン蓋体８ａを設けて、上記の安全弁３と自動圧力調節弁６に容器の中身が直接的に触れることを回避させることにより、器具の故障防止と清潔維持及び耐久性の向上を図ることを可能にしたものである。
【０００８】
上記のように構成されたこの発明は、圧力容器の完全密閉器具に関するものであるが、この実施の形態を説明すると、下記の通りである。
【０００９】
容器にカバー体１２が結合された圧力容器を取り外すときには、オン・オフ兼用の押下ボタン２に連結されたピニオンギア２ｃとプレート作動ギア２ｅが完全に結合されており、前記プレート作動ギア２ｅが取っ手胴体１と水平方向に位置していて、前記オン・オフ兼用の押下ボタン２を片手で軽く押下すると、クリップ１１と連結されたプレート７を押し出して前記クリップ１１を両側に拡開し、カバー体１２を容易に取り外すことができる。また、前記押下ボタン２から手を離すと、プレート作動ギア２ｅは止まった状態になり、前記押下ボタン２と固定されているピニオンギア２ｃのみが回転しながら抜け出る。
【００１０】
また、容器との結合時には、カバー体１２を前記容器に合わせて載置した後、オン・オフ兼用の押下ボタン２を押下すると、ピニオンギア２ｃが下降し、プレート作動ギア２ｅを取っ手胴体１と垂直方向に回転させながら結合がなされる。
【００１１】
このため、押し出されているクリップ１１と連結されたプレート７がバネ２ｆの弾性により閉じられ、このとき、前記ピニオンギア２ｃは、ピニオンギア２ｃと結合されたラチェット２ｂ及び逆転防止ポール２ｈによりピニオンギア２ｃの回転とは逆方向には回転できないため、プレート作動ギア２ｅが回転するのである。
【００１２】
前記オン・オフ兼用の押下ボタン２から手を離すと、ピニオンギア２ｃがプレート作動ギア２ｅと結合された状態で上昇し、取っ手胴体１のオン・オフ兼用の押下ボタンの結合部分の中央溝の両側に付いている
2007522399.tif 000003
状のガイド（図示せず）とプレート作動ギア２ｅの
2007522399.tif 000004
状の傾斜部により、ピニオンギア２ｃが取っ手胴体１とは水平方向に回転してカバー体１２を開ける状態に置かれ、その結果、カバー体１２を繰り返し開閉することが可能になる。
【００１３】
上記の密閉された圧力容器を加熱すると、水蒸気が生じて圧力が高くなり、このとき、内圧により安全弁３が上昇し、安全弁３に取り付けられているシリコンパッキン３ｄにより安全弁３の挿入孔が閉塞されて内部が密閉され、自動圧力調節弁６により一定の圧力に維持されて調理物が煮込まれる状態になる。調理後に加熱を止め、前記自動圧力調節弁６の上端のロータリー式押下ボタン５を「０」（圧力解放）位置におくか、あるいは、圧力容器が完全に冷やされた状態になると、内圧が解放されて上記の安全弁３が下降して孔が開き、その結果、内部が密閉されずに開放されるのである。
【００１４】
このため、調理後に自動圧力調節弁６の上端のロータリー式押下ボタン５を「１」または「２」の位置に合わせて真空レバー４を回すと、真空レバー４取っ手胴体１の安全弁３取付部の孔の底面部に設けられた
2007522399.tif 000005
状の傾斜部に乗って上昇してから固定され、この真空レバー４により上記の安全弁３が固定されると、内部が完全に密閉され、容器が冷やされると、圧力がマイナス（−）となって真空状態となり、これにより、飲食物の長期保存が可能になる（図２参照）。さらに、調理時には、自動圧力調節弁６側の１段（低圧）、２段（高圧）及び０（圧力解放）などと調節して用いることにより、様々な調理が可能になる。この発明においては、この調節方法をロータリー式押下ボタン方式にしているので、使い勝手がなお一層よくなっている。
【００１５】
取っ手胴体１の自動圧力調節弁６の下端の各１２０°の位置に
2007522399.tif 000006
状に３つのボスピン（図示せず）が載置されており、前記自動圧力調節弁６の下端部に各６０°ずつ分割されて
2007522399.tif 000007
状の傾斜部が６個あり、前記傾斜部の１８０°の方向に２つのボスピンが突出されており、さらに、取っ手胴体１の自動圧力調節弁６の押下ボタンガイド６ｊにロータリー式押下ボタン５が係合されているが、この内壁に高さの異なる
2007522399.tif 000008
状の傾斜部が設けられている。ここで、前記ロータリー式押下ボタン５を押下し、前記自動圧力調節弁６の傾斜部を３つのボスピン（図示せず）により３０°回転しておくと、前記調節弁６が上昇しながら２つのボスピンが前記調節弁６のガイド傾斜部により同じ方向にさらに３０°回転して前記自動圧力調節弁６の位置が決められ、前記自動圧力調節弁６の位置によりバネ６ｅの弾性が決められて圧力を調節することができる。このため、前記ロータリー式押下ボタン５を繰り返し押下すると、同じ方法により一方向に回転して前記自動圧力調節弁６の位置が「下」、「中」、「上」の位置に置かれて圧力を調節することができる。
【００１６】
そして、上記のカバー体１２の底面に、安全弁３及び自動圧力調節弁６を保護するためのシリコン蓋体８ａが左右側に設けられた裏蓋体８を取り付けることにより、安全弁３及び自動圧力調節弁６の孔に容器中に入れられている食材がくっつかないので、目詰まりが防がれ、その結果、安全性が高められる。さらに、自動圧力調節弁６の動作時に中身からの泡などが孔中に吸い込まれることが防がれるので、圧力容器及びその周りをきれいに維持することが可能になる。
【００１７】
この発明はその趣旨や重要な特徴から逸脱することなく、種々の形態に実現可能であり、上述した実施の形態は異なるように特定されない限り、上記の詳細な説明のいかなるものによっても制限されず、却って、特許請求の範囲に限定された趣旨とその範囲内において幅広く解釈されなければならない。よって、特許請求の境界内において行われるあらゆる変形及び変更は特許請求の範囲内に含まれるものであるといえる。
【図面の簡単な説明】
【００１８】
【図１】この発明による圧力容器の密閉器具の斜視図。
【図２】図１におけるＡ−Ａ線断面図。
【図３】図１におけるＢ部の分離斜視図。
【図４】図１におけるＣ部の分離斜視図。
【図５】図１におけるＤ部の分離斜視図。
【図６】図２におけるＥ部の作動表示図。
【図７】図２の別の実施の形態を示す図。
【図１】
2007522399.tif 000009
【図２】
2007522399.tif 000010
【図３】
2007522399.tif 000011
【図４】
2007522399.tif 000012
【図５】
2007522399.tif 000013
【図６】
2007522399.tif 000014
【図７】
2007522399.tif 000015
【国際調査報告】
2007522399.tif 000016
2007522399.tif 000017